(57)【要約】【課題】仮想走行映像装置を有するトレッドミル、およびトレッドミルの駆動方法を提供する。【解決手段】本発明は、限られた空間内で使用するトレッドミルに別途の映像装置が取り付けられ、ユーザーの選択に応じて、仮想走行映像装置に設定されている仮想走行コース映像メニューをユーザーが設定部で選択すると、モニターに例えば「済州オルレ道」の各コース、「智異山トルレ道」の各コース、「汝矣島ユンジュン路」コース、国外内の主要マラソン競走コースなどの映像が出力され、ユーザーの走行速度に応じて映像モニター上の映像の速度が変化し、走行コースの傾斜とカーブ区間の傾斜モードではそれに連動してそれに対応する傾斜面を駆使しながら駆動ベルトが作動するから、限られた空間内でトレッドミルを使用しても、使用者がまるで実際コースを走行するかの如きリアリティを感じることになるので、退屈になることなく楽しく持続的に運動を行うことができるという効果があり、記憶装置には走行履歴が記憶されて管理されることにより、個人運動履歴を照会することができ、長距離走行コースの場合には全コースを数回に分けて走行を行うことができ、また、映像モニターには２つまたはそれ以上の画面に分割されてそれぞれ異なる２つ以上の映像コンテンツがディスプレイされることにより、使用者が仮想走行コースを走行しながらニュースなどの放送を視聴することができるから、トレッドミルの使用効用が広くなるという効果がある。【選択図】図１ａ
2014518723.tif 000002
【特許請求の範囲】
【請求項１】
ユーザーが乗って走る駆動板（１４０）の駆動ベルト（１５０）が水平に設置され、先端部には立設された支持台（１１０）の上部中間に制御部本体（３００）が設置されたトレッドミル本体（１００）が備えられ、前記制御部本体（３００）は映像モニター（１３０）に接続されて仮想走行映像装置を有するトレッドミル（Ａ）において、
前記制御部本体（３００）は、
全体を制御する主制御部（３１０）と、
前記主制御部（３１０）に接続され、多数の仮想走行コース情報が記憶されたデータ記憶部（３８０）と、
前記主制御部（３１０）に接続され、前記データ記憶部（３８０）から伝送されたそれぞれの走行コース情報を実時間で分析および変換して信号をベルト駆動モーター（１６０）と傾斜モーター制御部（３７０）へ送り出す速度制御部（３４０）と、
前記主制御部（３１０）に接続され、仮想走行コース情報が傾斜モードの場合には傾斜モーターを制御する傾斜モーター制御部（３７０）と、
前記主制御部（３１０）に接続され、仮想走行コース情報に基づく実時間画面を送り出し、送り出される画面の速度を制御する画面速度制御部（３６０）と、
前記主制御部（３１０）に接続されてＩＤ、パスワードが入力され、走行コース、季節の走行条件を設定する設定部（１２２）を有する選択パネル部（１２０）と、を含んでなり、
前記制御部本体（３００）は、映像モニター（１３０）に接続されて仮想走行映像装置（Ｂ）を構成し、
前記トレッドミル本体（１００）の駆動板（１４０）は、駆動ベルト（１５０）の四つのコーナー部分に設置され、前記傾斜モーター制御部（３７０）によってそれぞれ独立に左側または右側に回転しながら駆動ベルト（１５０）の各部位の高低を調節する傾斜部駆動モーター（１５１）を含み、
前記映像モニター（１３０）は、画面を２つ（１３１、１３２）またはそれ以上の画面に分割して多数の画面を同時にディスプレイすることが可能であり、倍速走行が可能であることを特徴とする、仮想走行映像装置を有するトレッドミル。
【請求項２】
トレッドミルの駆動方法において、
前記トレッドミルの駆動方法は、  
トレッドミル本体（１００）の電源をオンにする電源オン段階と、
設定部（１２２）に走行条件を入力させる入力段階と、
ベルト駆動モーター（１６０）が駆動を始める開始段階と、
データ記憶部（３８０）から提供されたデータを直線区間か傾斜区間(カーブ)かを判断する区間判断段階と、
前記区間判断段階で直線区間と判断される場合には、速度制御部（３４０）の制御によってベルト駆動モーター（１６０）が駆動して駆動ベルトが駆動する駆動ベルト駆動段階と、
ベルト駆動モーター（１６０）の電源入力部から受信された入力信号が画面速度制御部（３６０）によって分析および変換されて画面速度が制御される画面速度制御段階と、
前記区間判断段階で傾斜またはカーブ区間と判断される場合には、速度制御部（３４０）および傾斜モーター制御部（３７０）の制御に基づいて傾斜部駆動モーター（１５１）が左または右方向に回転しながら駆動ベルト（１５０）を垂直に昇降移動させながら、同時にベルト駆動モーター（１６０）の速度を速くまたは遅く回転するように制御する段階と、
ランニングを終了し、記憶する段階と、を含んでなり、
前記画面速度制御段階で、倍速走行の場合、駆動ベルト（１５０）の走行速度を問わずに映像モニター（１３０）の画面速度が所定の倍速で速くなり、
走行中の下り坂コースでは駆動ベルト（１５０）の速度と映像モニター（１３０）上の画面速度が速くなり、駆動ベルト（１５０）の勾配は水平に近い前方下向傾斜状態を保つことを特徴とする、トレッドミルの駆動方法。
【請求項３】
記憶されたデータに基づいて長距離走行コースを数回に分けてランニング運動を行うことができることを特徴とする、請求項２に記載のトレッドミルの駆動方法。
【発明の詳細な説明】
【技術分野】
【０００１】
本発明は、仮想走行映像装置を有するトレッドミルおよび仮想走行方法に係り、さらに具体的には、スポーツセンターなどの公衆が利用する運動空間や家庭に設置されるトレッドミルに、多様なコースを走行する映像画面を映像装置を介して設定することにより、様々な仮想走行映像コンテンツによって退屈になることなく興味を感じながら長時間の運動が可能となり、トレッドミルの傾斜を映像モニター上の仮想走行コースの傾斜およびカーブ画面と連係して設定することが可能となるので、ユーザーの立場ではより現場感のある運動を行うことができる、仮想走行映像装置を有するトレッドミルおよびトレッドミルの駆動方法に関する。
【背景技術】
【０００２】
一般に、家庭やフィットネスクラブなどの特定の場所で使用する運動器具としてのトレッドミルは、室内に固定設置されて使用されている。
【０００３】
このようなトレッドミルは、室内に設置されているので、季節と気候を問わずに運動を行うことができるという利点はあるものの、変化のない空間内で反復運動を行い続けることができるように構成されているため、単調な使用環境によりユーザーが飽きやすくて途中で運動を諦めてしまうという問題点があった。
【０００４】
かかる問題点を解決するために、その間、既存のトレッドミルに様々な映像装置を付加して画面を見ながら運動を行うことができるようにする発明が開発されてきた。ところが、これらの発明は、提供されるコンテンツが一方的かつ画一的であって、ユーザーがコンテンツの有用性を感じることにはなお限界があった。よって、上述の問題点は依然として解決されていない。
【発明の概要】
【発明が解決しようとする課題】
【０００５】
本発明は、上述した問題点を解決するためになされたもので、その目的は、トレッドミル内に様々な仮想走行コースプログラムをインストールし、取り付けられた映像装置を介してユーザーがお気に入りの仮想走行映像コースを選択して視聴しながらランニング運動を行うことができることにより、現場感を感じながら退屈になることなくランニング運動を行い続けることができる、仮想映像装置を有するトレッドミルおよびトレッドミルの駆動方法を提供することにある。
【０００６】
本発明の他の目的は、トレッドミルの走行駆動ベルトの駆動速度と傾斜角度を仮想走行コースの上り坂、下り坂およびカーブと相互連動して調節することが可能となり、現場感のあるランニング運動を行うことができる、仮想走行映像装置を有するトレッドミルおよびトレッドミルの駆動方法を提供することにある。
【０００７】
本発明の別の目的は、同時に２つまたはそれ以上の画面に分割され、２つまたはそれ以上の映像コンテンツを同時に視聴することができる、仮想走行映像装置を有するトレッドミルおよびトレッドミルの駆動方法を提供することにある。
【課題を解決するための手段】
【０００８】
上記目的を達成するために、本発明のある観点によれば、トレッドミルの選択パネル部に設けられ、使用者が仮想走行コースを選択してＩＤ、パスワード、走行条件などを設定する設定部と、選択された仮想走行コースのデータを実時間で分析してベルト駆動モーターと傾斜モーター制御部を制御する速度制御部と、ベルト駆動モーターの入力電源部の電気信号を分析および変換して映像モニターの画面速度を制御する画面速度制御部と、ユーザーのＩＤ、パスワード、運動履歴および仮想走行コースのコース情報が記憶されているデータ記憶部と、仮想走行コースデータ情報のうち、傾斜およびカーブ区間の情報の伝送を受けて仮想コースの傾斜およびカーブ状況に連動して傾斜部駆動モーターを制御する傾斜モーター制御部と、これらの各制御部と相互有機的に接続されてコントロールする主制御部と、同時に２つまたはそれ以上の画面に分割され、２つまたはそれ以上の映像コンテンツをユーザーの選択に応じて同時に視聴することが可能な映像モニターとを含んでなる、仮想走行映像装置を有するトレッドミルを提供する。
【０００９】
上記目的を達成するために、本発明の他の観点によれば、１）トレッドミルの電源をオンにする段階と、２）設定部に走行条件を入力させる段階と、３）ベルト駆動モーターが駆動して移動ベルトが駆動し始める段階と、４）データ記憶部から提供されたデータを速度制御部で傾斜区間またはカーブ区間か否かを判断する段階と、５）傾斜区間またはカーブ区間でない場合には、速度制御部の制御によってベルト駆動モーターが駆動して正常モードで移動ベルトが駆動する段階と、６）画面速度制御部によって画面速度が制御される段階と、７）前記４）段階で傾斜またはカーブ区間と判断されるには、速度制御部および傾斜モーター制御部の制御に基づいて傾斜モードで傾斜部駆動モーターが駆動する段階と、８）記憶される段階とを含んでなる、トレッドミルの駆動方法を提供する。
【発明の効果】
【００１０】
本発明に係る仮想走行映像装置を有するトレッドミルおよびトレッドミルの駆動方法は、限られた空間内で使用するトレッドミルに別途の映像装置が取り付けられ、ユーザーの選択に応じて、仮想走行映像装置に設定されている仮想走行コース映像メニューをユーザーが設定部で選択すると、モニターに例えば「済州オルレ道」の各コース、「智異山トルレ道」の各コース、「汝矣島ユンジュン路」コース、国外内の主要マラソン競走コースなどの映像が出力され、ユーザーの走行速度に応じて映像モニター上の映像の速度が変化し、走行コースの傾斜とカーブ区間の傾斜モードではそれに連動してそれに対応する傾斜面を駆使しながら駆動ベルトが作動するから、限られた空間内でトレッドミルを使用しても、使用者がまるで実際コースを走行するかの如きリアリティを感じることになるので、退屈になることなく楽しく持続的に運動を行うことができるという効果があり、記憶装置には走行履歴が記憶されて管理されることにより、個人運動履歴を照会することができ、長距離走行コースの場合には全コースを数回に分けて走行を行うことができ、また、映像モニターには２つまたはそれ以上の画面に分割されてそれぞれ異なる２つ以上の映像コンテンツがディスプレイされることにより、使用者が仮想走行コースを走行しながらニュースなどの放送を視聴することができるから、トレッドミルの使用効用が広くなるという効果がある。
【図面の簡単な説明】
【００１１】
【図１ａ】本発明の第１実施例に係るトレッドミルの概略斜視図である。
【図１ｂ】本発明の第１実施例に係るトレッドミルの駆動板の縦断面図である。
【図２】本発明の第１実施例に係る仮想走行映像装置を有するトレッドミルの要部の構成図である。
【図３】本発明の第１実施例に係る映像装置を有するトレッドミルのブロック図である。
【図４】本発明の第１実施例に係る映像装置をゆするトレッドミルのフローチャートである。
【発明を実施するための形態】
【００１２】
以下、本発明の好適な第１実施例を添付図面に基づいて詳細に説明する。
【００１３】
図１ａは本発明の第１実施例に係る仮想走行映像装置を有するトレッドミル（Ａ）の概略斜視図である。
【００１４】
本発明の第１実施例に係る仮想走行映像装置を有するトレッドミル（Ａ）は、図１ａおよび図１ｂに示すように、前記トレッドミル本体１００の先端部に立設された支持台１１０の上部中間に制御部本体３００が設置され、前記制御部本体３００上には、トレッドミルの駆動状態を表示するパネルモニター１２１と選択パネル部１２０が設置されている。
【００１５】
前記選択パネル部１２０は、タッチパネルで出来ており、多数のボタンからなる設定部１２２を有する。
【００１６】
前記制御部本体３００は、図２に示すように、様々な制御部を制御する主制御部３１０と、前記主制御部３１０に接続され、多数の仮想走行コース情報が記憶されたデータ記憶部３８０と、前記主制御部３１０に接続され、前記データ記憶部３８０から伝送されたそれぞれの走行コース情報を実時間で分析および変換して信号をベルト駆動モーター１６０と傾斜モーター制御部３７０へ送り出す速度制御部３４０と、前記主制御部３１０に接続され、仮想走行コース情報が傾斜モードの場合には傾斜モーターを制御する傾斜モーター制御部３７０と、前記主制御部３１０に接続され、仮想走行コース情報に基づく実時間画面を送り出し、送り出される画面の速度を制御する画面速度制御部３６０と、設定部１２２を有する選択パネル部１２０とを含んでなる。
【００１７】
すなわち、前記選択パネル部１２０は、主制御部３１０を介して電気的にデータ記憶部３８０に接続されている。
【００１８】
上部にパネルモニター１２１と設定部１２２が設けられた選択パネル部１２０を含む制御部本体３００は、映像モニター１３０に接続されて仮想走行映像装置Ｂを構成する。
【００１９】
前記映像モニター１３０上には、前記仮想構想コースに連動し、仮想走行コースに関連した音響が発生するスピーカ部１３０ａ、および香り発生部１３０ｂが設置されている。前記スピーカ部１３０ａは、ユーザーの耳に差し込むイヤホン（図示せず）へ無線で送り出されるように設置されている。前記香り発生部１３０ｂでは陰イオンまたはフィトンチッド香りが発生する。前記映像モニター１３０は、現実感のある走行のために少なくとも３０インチ以上のモニターが設置されるべきである。
【００２０】
本実施例において、映像モニター１３０が支持台１１０の上部に設置されているが、振動のため、別途のスタンド（図示せず）によって映像モニター１３０が支持されるように設置されてもよい。前記支持台１１０の上部には、ユーザーの汗または暑さを冷やすために扇風機１１１が設置されている。
【００２１】
前記トレッドミルＡのトレッドミル本体１００の、ユーザーが乗って走る駆動板１４０の駆動ベルト１５０の４つのコーナー部位には、４つの傾斜駆動モーター１５１が設置されている。前記駆動ベルト１５０の前方には被動軸１５０ａが設置されている。前記被動軸１５０ａは、ベルト駆動モーター１６０の回転力が伝動用ベルト１６１を用いて回転させるように設置されている。
【００２２】
前記トレッドミル本体１００の駆動板１４０の上部にはガイドハンドル１４２が前後に設置され、前記ガイドハンドル１４２上にはフォトセンサー１４３が設置され、前記前方のガイドハンドル１４２上に設置された前方フォトセンサー１４３はユーザーの前方接近の危険に対する警報音を発生させ、後方フォトセンサー１４３は使用者の駆動ベルト１５０上からの後方落下の危険を感知して警報音を発生させる。また、前方ガイドハンドル１４２上に非常停止スイッチ１４４を設けて危急状況の際に駆動ベルト１4０の駆動を停止させる。
【００２３】
図２は本発明の第１実施例に係る仮想走行映像装置を有するトレッドミル本体１００の主要部の構成関係を示す構成図、図３は本発明の仮想走行映像装置の各部別関係を示すブロック図である。
前記仮想走行映像装置を有するトレッドミルＡは、選択パネル部１２０に設けられている設定部１２２でＩＤ、パスワード、走行コース、季節などの走行条件を入力し、走行開始ボタンをオンにすると、データ記憶部３８０に記憶されている仮想走行コースの走行情報信号が速度制御部３４０へ伝達され、速度制御部３４０はデータ記憶部３８０から伝送されたそれぞれの走行コース情報を実時間で分析および変換してベルト駆動モーター１６０と傾斜モーター制御部３７０を制御する。
前記データ記憶部３８０には、ユーザーのＩＤ、パスワード、運動履歴などの内容以外にも、多数の仮想走行コース情報が記憶されている。このような仮想走行コース情報には、該当コースの映像および地理情報システム（ＧＩＳ）による該当コース各区間の高度、カーブ、距離などの情報が含まれている。このような仮想走行コース情報に対する例として、春川マラソンコースが挙げられる。このような春川マラソンコースは「衣岩ダム」などの湖岸を走行するコースの映像が約４時間分量に製作され（春川フルコースマラソンストリームという）、このような春川フルコースマラソンストリームは約３０分間隔で８つの分けられた区間ストリームに製作され、ユーザーは所望の区間ストリームを読み出して走行練習を行うことができ、このような画面速度は映像モニター１３０の倍速速度に応じて変更できるため、３０分の運動で１時間（２倍速の場合）、１時間３０分（３倍速の場合）のマラソンコースを走行することもできる。
前記速度制御部３４０は、このようなデータ記憶部３８０の情報に基づいて、伝送された情報が傾斜またはカーブ区間の場合には、予め設定されたプログラムによって傾斜モーター制御部３７０に該当区間の情報を伝達して各傾斜部駆動モーター１５１を作動させると同時に、これに対応する速度でベルト駆動モーター１６０の速度を制御する機能を行う。
すなわち、傾斜の程度に比例して上り坂では遅く作動し、下り坂では速く作動するように、予め設定されたプログラムによってベルト駆動モーター１６０を作動させる。
画面速度制御部３６０は、ベルト駆動モーター１６０の入力電源の大きさを分析し、信号に変換して映像モニター１３０の速度を制御する。これにより、映像モニター１３０の画面速度は常にベルト駆動モーター１６０の回転速度に連係された画面速度を持つ。
また、前記仮想走行映像装置を有するトレッドミルＡは倍速走行機能を含んでいる。前記映像装置Ｂで実行される倍速走行機能として、ユーザーが設定部１２２で倍速走行機能を選択すると、前記トレッドミルＡは、予め設定されたプログラムによる画面速度制御部３６０によって映像モニター１３０の画面速度が駆動ベルト１５０の速度を問わずに所定の倍率だけ速くなって短時間に長距離コースを走行することが可能となるなど、ユーザーに様々な経験と興味のある運動を提供することが可能となる。このような倍速走行機能は、一般なデジタルＴＶまたはＤＶＤで使用される倍速機能を用いて駆動される。
例えば倍速走行機能を行う春川マラソンコースの映像を例として挙げると、４時間分量に製作された春川フルマラソンストリームのうちの第１区間ストリームと第２区間ストリームを３０分で走行しようとする場合には、２倍速機能を選択して走行すると、３０分の運動で第１および第２区間ストリームの１時間の映像が過ぎながら１時間のマラソンコースを走行する映像を見るのである。このような倍速走行機能は、記憶された情報を参照して、大容量の記憶装置に記録されたストリームの特定の位置から、Ｉ ｐｉｃｔｕｒｅを構成する部分のみを抽出し、ＭＰＥＣデコーダへ移送して走行させる。
図４は本発明の一実施例を示すフローチャートである。
【００２４】
ユーザーが、本発明のトレッドミルＡの電源をオンにし、設定部でＩＤとパスワードを入力した後、走行コースを選択して走行を開始すると、データ記憶部３８０では該当コースに対するデータ信号発生を開始し、信号を受信した速度制御部３４０では伝送された信号を実時間で分析および変換してベルト駆動モーター１６０の速度を制御し、制御された速度によってベルト駆動モーター１６０は作動することになり、画面速度制御部３６０はベルト駆動モーター１６０の入力部の電気信号を分析、変換して映像モニター１３０の画面速度を制御する。
【００２５】
もし、データ記憶部３８０から伝達された信号が傾斜区間または坂道区間に関する傾モードの情報である場合には、速度制御部３４０では別に傾斜モーター制御部３７０へ信号を送り、傾斜モーター制御部３７０では伝達された信号を分析よび変換して傾斜部駆動モーター１５１を制御する。すなわち、走行コースが上り坂区間である場合には、２つの前方の傾斜部駆動モーター１５１を駆動させて傾斜部駆動モーター１５１を右に回転させることにより、駆動ベルト１５０を上方向に引き上げるようにして上り坂を実現するとともに、速度制御部３４０でベルト駆動モーター１６０の速度が遅く制御されて駆動ベルト１５０の速度が遅くなると同時に画面速度制御部３６０によって画面速度も遅く制御されることにより、仮想走行コースの走行条件を完成させることができる。
【００２６】
逆に、下り坂では上記の上り坂と反対の作動が行われるが、トレッドミルの特性とユーザーの安全のために、下り坂では駆動ベルト１５０の勾配が水平に近い前方に下向傾斜を保ったままで駆動ベルト１５０の速度が制御されるようにした。
【００２７】
また、カーブ区間では、速度制御部３４０からデータ記憶部３８０に受け取ったカーブデータ情報を傾斜モーター制御部３７０が分析および変換し、４つの傾斜駆動モーター１５１の高低を異ならしめて制御し、駆動板１４０上に仮想のカーブ傾斜面を実現するようにしている。
【００２８】
もし右カーブ区間の場合には、右側の傾斜駆動モーター１５１の組み合わせによって右に回転しながら駆動ベルト１５０を上方に引き上げることにより、駆動ベルト１５０の左側が高くなり、相対的に右側が低くなって、右方向のカーブ道のような形状が実現される。
また、傾斜とカーブとが重なり合う区間では、このような機能を組み合わせて実現することができる。
また、本発明は、データ記憶部３８０にユーザーのＩＤ、パスワードおよび個人別走行履歴を記憶することができるため、長距離コース走行の場合、コース別全区間を日付別に分けて走行することができ、期間別にユーザーの走行履歴について記憶および照会を可能とすることにより、個人別の運動量を管理することもできる。
本発明において、映像モニター１３０は、ユーザーの選択に応じて一つの画面を２つ（１３１、１３２）またはそれ以上の画面に分割し、同時に多数の画面をディスプレイすることが可能な機能を含んでいる。この機能を用いて仮想走行コース映像を見ながら同時にＴＶ放送などを視聴することが可能な機能を提供する。
以上、本発明を特定の好適な実施例に基づいて説明したが、本発明はこれらの実施例に限定されず、当該分野における通常の知識を有する者であれば、 本発明の要旨から逸脱することなく様々な変更や修正を加え得ることは明白である。
【産業上の利用可能性】
【００２９】
本発明に係る仮想走行映像装置を有するトレッドミルおよびトレッドミルの駆動方法は、一般なトレッドミル製造工場で同一の製品を反復的に製造し、実行することが可能なので、産業上の利用可能性がある発明である。
【図１ａ】
2014518723.tif 000003
【図１ｂ】
2014518723.tif 000004
【図２】
2014518723.tif 000005
【図３】
2014518723.tif 000006
【図４】
2014518723.tif 000007
【手続補正書】
【提出日】平成25年3月21日(2013.3.21)
【手続補正１】
【補正対象書類名】明細書
【補正対象項目名】００２２
【補正方法】変更
【補正の内容】
【００２２】
前記トレッドミル本体１００の駆動板１４０の上部にはガイドハンドル１４２が前後に設置され、前記ガイドハンドル１４２上にはフォトセンサー１４３が設置され、前記前方のガイドハンドル１４２上に設置された前方フォトセンサー１４３はユーザーの前方接近の危険に対する警報音を発生させ、後方フォトセンサー１４３は使用者の駆動ベルト１５０上からの後方落下の危険を感知して警報音を発生させる。また、前方ガイドハンドル１４２上に非常停止スイッチ１４４を設けて危急状況の際に駆動ベルト１５０の駆動を停止させる。
【手続補正２】
【補正対象書類名】特許請求の範囲
【補正対象項目名】全文
【補正方法】変更
【補正の内容】
【特許請求の範囲】
【請求項１】
ユーザーが乗って走る駆動板（１４０）の駆動ベルト（１５０）が水平に設置され、先端部には立設された支持台（１１０）の上部中間に制御部本体（３００）が設置されたトレッドミル本体（１００）が備えられ、前記制御部本体（３００）は映像モニター（１３０）に接続されて仮想走行映像装置を有するトレッドミル（Ａ）において、
前記制御部本体（３００）は、
全体を制御する主制御部（３１０）と、
前記主制御部（３１０）に接続され、多数の仮想走行コース情報が記憶されたデータ記憶部（３８０）と、
前記主制御部（３１０）に接続され、前記データ記憶部（３８０）から伝送されたそれぞれの走行コース情報を実時間で分析および変換して信号をベルト駆動モーター（１６０）と傾斜モーター制御部（３７０）へ送り出す速度制御部（３４０）と、
前記主制御部（３１０）に接続され、仮想走行コース情報が傾斜モードの場合には傾斜モーターを制御する傾斜モーター制御部（３７０）と、
前記主制御部（３１０）に接続され、仮想走行コース情報に基づく実時間画面を送り出し、送り出される画面の速度を制御する画面速度制御部（３６０）と、
前記主制御部（３１０）に接続されてＩＤ、パスワードが入力され、走行コース、季節の走行条件を設定する設定部（１２２）を有する選択パネル部（１２０）と、を含んでなり、
前記制御部本体（３００）は、映像モニター（１３０）に接続されて仮想走行映像装置（Ｂ）を構成し、
前記トレッドミル本体（１００）の駆動板（１４０）は、駆動ベルト（１５０）の四つのコーナー部分に設置され、前記傾斜モーター制御部（３７０）によってそれぞれ独立に左側または右側に回転しながら駆動ベルト（１５０）の各部位の高低を調節する傾斜部駆動モーター（１５１）を含み、
前記映像モニター（１３０）は、画面を２つ（１３１、１３２）またはそれ以上の画面に分割して多数の画面を同時にディスプレイすることが可能であり、倍速走行が可能であることを特徴とする、仮想走行映像装置を有するトレッドミル。
【請求項２】
トレッドミルの駆動方法において、
前記トレッドミルの駆動方法は、  
トレッドミル本体（１００）の電源をオンにする電源オン段階と、
設定部（１２２）に走行条件を入力させる入力段階と、
ベルト駆動モーター（１６０）が駆動を始める開始段階と、
データ記憶部（３８０）から提供されたデータを直線区間か傾斜区間かカーブ区間かを判断する区間判断段階と、
前記区間判断段階で直線区間と判断される場合には、速度制御部（３４０）の制御によってベルト駆動モーター（１６０）が駆動して駆動ベルトが駆動する駆動ベルト駆動段階と、
ベルト駆動モーター（１６０）の電源入力部から受信された入力信号が画面速度制御部（３６０）によって分析および変換されて画面速度が制御される画面速度制御段階と、
前記区間判断段階で傾斜またはカーブ区間と判断される場合には、速度制御部（３４０）および傾斜モーター制御部（３７０）の制御に基づいて傾斜部駆動モーター（１５１）が左または右方向に回転しながら駆動ベルト（１５０）を垂直に昇降移動させながら、同時にベルト駆動モーター（１６０）の速度を速くまたは遅く回転するように制御する段階と、
ランニングを終了し、記憶する段階と、を含んでなり、
前記画面速度制御段階で、倍速走行の場合、駆動ベルト（１５０）の走行速度を問わずに映像モニター（１３０）の画面速度が所定の倍速で速くなり、
走行中の下り坂コースでは駆動ベルト（１５０）の速度と映像モニター（１３０）上の画面速度が速くなり、駆動ベルト（１５０）の勾配は前方下向傾斜状態を保つことを特徴とする、トレッドミルの駆動方法。
【請求項３】
記憶されたデータに基づいて長距離走行コースを数回に分けてランニング運動を行うことができることを特徴とする、請求項２に記載のトレッドミルの駆動方法。
【手続補正３】
【補正対象書類名】図面
【補正対象項目名】図３
【補正方法】変更
【補正の内容】
【図３】
2014518723.tif 000008
【国際調査報告】
2014518723.tif 000009
2014518723.tif 000010
2014518723.tif 000011
2014518723.tif 000012
2014518723.tif 000013
2014518723.tif 000014
2014518723.tif 000015
2014518723.tif 000016